【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
固体撮像素子の撮像面に物体の像を結像させるために使用される撮像レンズであって、
物体側から像面側に向かって順に、絞り、物体側に凸面を向けた正のパワーを有するメニスカスレンズとされた第１レンズ、および像面側に凸面を向けた正のパワーを有するレンズとされた第２レンズを配設し、次の（１）〜（７）の各条件式、
１．２５≧Ｌ／ｆｌ≧０．８            （１）
０．５５≧ｆ１／ｆ２≧０．２            （２）
１．５≧ｆ１／ｆｌ≧０．９             （３）
１≧ｄ２／ｄ１≧０．５７                （４）
０．３５≧ｄ１／ｆｌ≧０．１           （５）
０．２７≧ｄ３／ｆｌ≧０．１           （６）
ｆ２／ｆｌ＞４ （７）
但し、
Ｌ：レンズ系の全長
ｆｌ：レンズ系全体の焦点距離
ｆ１：第１レンズの焦点距離
ｆ２：第２レンズの焦点距離
ｄ１：第１レンズの中心厚
ｄ２：光軸上における第１レンズと第２レンズとの間隔
ｄ３：第２レンズの中心厚
を満足することを特徴とする撮像レンズ。
【請求項２】
前記第２レンズが、メニスカスレンズに形成されていることを特徴とする請求項１に記載の撮像レンズ。
【請求項３】
前記第２レンズの物体側の面は、光軸近傍部において物体側に凸とされ、かつ、変曲点を持つ非球面に形成されていることを特徴とする請求項１に記載の撮像レンズ。
【請求項４】
前記第２レンズの物体側の面における有効径の外端部位が、当該第２レンズの物体側の面における光軸上の点よりも物体側に位置されていることを特徴とする請求項３に記載の撮像レンズ。
【請求項５】
更に、前記絞りが、次の条件式、
０．２≧Ｓ      （８）
但し、
Ｓ：光軸上における前記絞りと最も物体側の光学面との距離
を満足することを特徴とする請求項１〜４のいずれか１項に記載の撮像レンズ。
【請求項６】
更に、次の条件式、
０．８≧Ｂｆｌ／ｆｌ≧０．４    （９）
但し、
Ｂｆｌ：バックフォーカス距離（レンズ最終面から撮像面までの光軸上の距離（空気換算長））
を満足することを特徴とする請求項１〜５のいずれか１項に記載の撮像レンズ。
【請求項７】
更に、次の条件式、
２．５≧Ｂｆｌ≧０．８         （１０）
を満足することを特徴とする請求項１〜６のいずれか１項に記載の撮像レンズ。
【手続補正２】
【補正対象書類名】明細書
【補正対象項目名】００１５
【補正方法】変更
【補正の内容】
【００１５】
前述した目的を達成するため、本発明の請求項１に係る撮像レンズの特徴は、固体撮像素子の撮像面に物体の像を結像させるために使用される撮像レンズであって、
物体側から像面側に向かって順に、絞り、物体側に凸面を向けた正のパワーを有するメニスカスレンズとされた第１レンズ、および像面側に凸面を向けた正のパワーを有するレンズとされた第２レンズを配設し、次の（１）〜（７）の各条件式、
１．２５≧Ｌ／ｆｌ≧０．８            （１）
０．５５≧ｆ１／ｆ２≧０．２            （２）
１．５≧ｆ１／ｆｌ≧０．９             （３）
１≧ｄ２／ｄ１≧０．５７                （４）
０．３５≧ｄ１／ｆｌ≧０．１           （５）
０．２７≧ｄ３／ｆｌ≧０．１           （６）
ｆ２／ｆｌ＞４ （７）
但し、
Ｌ：レンズ系の全長
ｆｌ：レンズ系全体の焦点距離
ｆ１：第１レンズの焦点距離
ｆ２：第２レンズの焦点距離
ｄ１：第１レンズの中心厚
ｄ２：光軸上における第１レンズと第２レンズとの間隔
ｄ３：第２レンズの中心厚
を満足する点にある。
【手続補正３】
【補正対象書類名】明細書
【補正対象項目名】００１８
【補正方法】変更
【補正の内容】
【００１８】
また、請求項１に係る発明によれば、第１レンズを物体側に凸面を向けた正のパワーを有するメニスカスレンズとし、かつ、第２レンズを正のパワーを有するレンズとし、さらに、各レンズのパワーを（１）〜（７）の各条件式のように規定することによって、小型軽量化を図りながら、製造性を向上させることが可能となる。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】変更
【補正の内容】
【００２７】
さらに、請求項５に係る撮像レンズの特徴は、請求項１〜４のいずれか１項において、更に、前記絞りが、次の条件式、
０．２≧Ｓ      （８）
但し、
Ｓ：光軸上における前記絞りと最も物体側の光学面との距離
を満足する点にある。
【手続補正７】
【補正対象書類名】明細書
【補正対象項目名】００２８
【補正方法】変更
【補正の内容】
【００２８】
そして、この請求項５に係る発明によれば、更に、（８）の条件式を満足することにより、テレセントリック性をさらに有効に確保することが可能となり、かつ、さらなる小型軽量化を図ることが可能となる。
【手続補正８】
【補正対象書類名】明細書
【補正対象項目名】００２９
【補正方法】変更
【補正の内容】
【００２９】
さらにまた、請求項６に係る撮像レンズの特徴は、請求項１〜５のいずれか１項において、更に、次の条件式、
０．８≧Ｂｆｌ／ｆｌ≧０．４    （９）
但し、
Ｂｆｌ：バックフォーカス距離（レンズ最終面から撮像面までの光軸上の距離（空気換算長））
を満足する点にある。
【手続補正９】
【補正対象書類名】明細書
【補正対象項目名】００３０
【補正方法】変更
【補正の内容】
【００３０】
そして、この請求項６に係る発明によれば、更に、（９）の条件式を満足することにより、さらに有効に小型軽量化を図ることが可能となり、かつ、製造性および組み立て上の扱いやすさをさらに向上させることが可能となる。
【手続補正１０】
【補正対象書類名】明細書
【補正対象項目名】００３１
【補正方法】変更
【補正の内容】
【００３１】
また、請求項７に係る撮像レンズの特徴は、請求項１〜６のいずれか１項において、更に、次の条件式、
２．５≧Ｂｆｌ≧０．８         （１０）
を満足する点にある。
【手続補正１１】
【補正対象書類名】明細書
【補正対象項目名】００３２
【補正方法】変更
【補正の内容】
【００３２】
そして、この請求項７に係る発明によれば、更に、（１０）の条件式を満足することにより、さらに有効に小型軽量化を図ることが可能となり、かつ、製造性および組み立て上の扱いやすさをさらに向上させることが可能となる。
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】変更
【補正の内容】
【００３８】
さらに、請求項５に係る撮像レンズによれば、請求項１〜４に係る撮像レンズの効果に加えて、更に、テレセントリック性をさらに有効に確保することができ、かつ、さらなる小型軽量化に好適な撮像レンズを実現することができる。
【手続補正１４】
【補正対象書類名】明細書
【補正対象項目名】００３９
【補正方法】変更
【補正の内容】
【００３９】
さらにまた、請求項６に係る撮像レンズによれば、請求項１〜５に係る撮像レンズの効果に加えて、更に、より小型軽量で製造性に優れた撮像レンズを実現することができる。
【手続補正１５】
【補正対象書類名】明細書
【補正対象項目名】００４０
【補正方法】変更
【補正の内容】
【００４０】
また、請求項７に係る撮像レンズによれば、請求項１〜６に係る撮像レンズの効果に加えて、更に、より一層の小型軽量化および製造性の向上に適した撮像レンズを実現することができる。